(57)【要約】      （修正有）【課題】小型化を図ると共にボリューム調整量が意図に反して変更されることがなく、しかも故障が少ないイヤホーンマイク装置を提供する。【解決手段】イヤホーンマイク装置１０は、電子機器１に接続される音声入力端子及び音声出力端子が設けられたコネクター部２０と、コネクター部に一端が接続されたコード３０と、コードの他端が接続されて、コードを介して音声入力端子に接続されるイヤホーン４０と、コードの途中に設けられた操作本体部５０と、電池６０とを含む。操作部本体部は、コードを介して音声出力端子と接続されるマイク５１と、アップスイッチ５２及びダウンスイッチ５３と、電池からの電源電力の供給を受けて、アップスイッチまたはダウンスイッチの操作よって生成される信号に基づいて、イヤホーンに伝送される音声信号の減衰量を可変するアンプレスの電子ボリューム回路を含む。【選択図】図１
0003157767.tif 000002
【実用新案登録請求の範囲】
【請求項１】
電子機器に接続される音声入力端子及び音声出力端子が設けられたコネクター部と、
前記コネクター部に一端が接続されたコードと、
前記コードの他端が接続されて、前記コードを介して前記音声入力端子に接続されるイヤホーンと、
前記コードの途中に設けられた操作本体部と、
電池と、
を有し、
前記操作部本体部は、
前記コードを介して前記音声出力端子と接続されるマイクと、
アップスイッチ及びダウンスイッチと、
前記電池からの電源電力の供給を受けて、前記アップスイッチまたは前記ダウンスイッチの操作よって生成される信号に基づいて、前記イヤホーンに伝送される音声信号の減衰量を可変するアンプレスの電子ボリューム回路と、
を含むことを特徴とするイヤホーンマイク装置。
【請求項２】
請求項１において、
前記アップスイッチ及びダウンスイッチの操作面は、前記操作本体部の表面と面一または前記表面よりも前記操作本体部の内方に窪んだ位置に設定されていることを特徴とするイヤホーンマイク装置。
【請求項３】
請求項１または２において、
前記電池は前記コネクター部に搭載され、
前記コードは、
前記電子ボリューム回路を介して前記音声入力端子からの音声信号を前記イヤホーンに伝送するイヤホーンコードと、
前記マイクからの音声信号を前記音声出力端子に伝送するマイクコードと、
前記電池からの電源電力を前記電子ボリューム回路に供給する電源コードと、
前記イヤホーンへの音声信号、前記マイクからの音声信号及び前記電源電力に共用される共通グランド電源コードと、
を含むことを特徴とするイヤホーンマイク装置。
【請求項４】
請求項１乃至３のいずれかにおいて、
前記電子ボリューム回路は、
前記音声信号を減衰してボリューム調整するボリューム調整部と、
前記アップスイッチまたは前記ダウンスイッチの操作よって生成される信号に基づいて、前記ボリューム調整部での調整量を制御するボリューム制御部と、
を含むことを特徴とするイヤホーンマイク装置。
【請求項５】
請求項４において、
前記イヤホーンは、Ｌ用イヤホーン及びＲ用イヤホーンを含み、
前記ボリューム調整部は、前記Ｌ用イヤホーンに伝送される音声信号を減衰するＬ用ボリューム制御部と、前記Ｒ用イヤホーンに伝送される音声信号を減衰するＲ用ボリューム制御部と、を含み、
前記ボリューム制御部は、前記Ｌ用ボリューム制御部と前記Ｒ用ボリューム制御部との制御に共用されることを特徴とするイヤホーンマイク装置。
【請求項６】
請求項４または５において、
前記ボリューム調整部は、前記音声入力端子からの音声信号を伝送する配線に接続された、複数のタップ付の固定抵抗器を含み、
前記ボリューム制御部は、前記アップスイッチまたは前記ダウンスイッチの操作に基づいて、前記複数のタップの中から少なくとも一つのタップを選択して、前記固定抵抗器の全部又は一部により減衰された音声信号を出力させるタップ選択回路を含むことを特徴とするイヤホーンマイク装置。
【請求項７】
請求項６において、
前記タップ選択回路は、
前記アップスイッチまたは前記ダウンスイッチの操作に基づいてアップ／ダウン識別信号を生成する識別信号生成回路と、
前記アップスイッチまたは前記ダウンスイッチのいずれか一方が操作されている時にイネーブル信号を出力するイネーブル信号生成回路と、
前記アップ／ダウン識別信号に基づいてカウントアップまたはカウントダウンの方向が決定され、前記イネーブル信号がアクティブの間にクロックをカウントするアップ／ダウンカウンターと、
をさらに有することを特徴とするイヤホーンマイク装置。
【請求項８】
請求項７において、
前記タップ選択回路は、
前記アップスイッチの操作によって短絡されることで、非操作時とは論理の異なるデジタル信号が生成されるアップ信号線と、
前記ダウンスイッチの操作によって短絡されることで、非操作時とは論理の異なるデジタル信号が生成されるダウン信号線と、
をさらに有し、
前記アップ信号線及び前記ダウン信号線が前記識別信号生成回路及び前記イネーブル信号生成回路に接続されていることを特徴とするイヤホーンマイク装置。
【請求項９】
請求項８において、
前記識別信号生成回路はセット・リセット型フリップフロップであり、前記イネーブル信号生成回路は論理和回路であることを特徴とするイヤホーンマイク装置。
【請求項１０】
請求項４乃至９のいずれかにおいて、
前記音声入力端子からの音声信号を伝送する配線には、前記固定抵抗器の上流側にてＤＣ成分をカットする容量が接続されていることを特徴とするイヤホーンマイク装置。
【請求項１１】
請求項１乃至１０のいずれかにおいて、
前記操作本体部は、動作モードを設定する動作モード設定スイッチをさらに有し、
前記コネクター部は、動作モード設定信号出力端子をさらに有し、
前記コードは、前記動作モード設定スイッチからの動作モード設定信号を前記動作モード設定信号出力端子に伝送する動作モード設定コードをさらに含むことを特徴とするイヤホーンマイク装置。
【請求項１２】
請求項１１において、
前記動作モード設定信号は、前記動作モード設定スイッチの操作によって前記動作モード設定コードが短絡されることで生成される、非操作時とは論理が異なるデジタル信号であることを特徴とするイヤホーンマイク装置。
【考案の詳細な説明】
【技術分野】
【０００１】
本考案は、携帯電話機等の電子機器に接続されて使用されるイヤホーンマイク装置に関する。
【背景技術】
【０００２】
携帯電話機をハンズフリーで使用するために、イヤホーンマイク装置が知られている。このイヤホーンマイク装置は、基本的構成とし、携帯電話機に接続されるコネクター部と、そのコネクター部にコードで接続されたイヤホーン及びマイクを備えている（特許文献１）。イヤホーンにより携帯電話機からの音楽を聴取中に着信があった場合、通話の開始と終了操作をイヤホーンマイク装置に設けたスイッチにより可能としたものもある（特許文献２）。
【０００３】
イヤホーンマイク装置やイヤホーン装置に電池を搭載したものもある（特許文献３，４）。特許文献３は、イヤホーンとマイクとを収容する筐体に、イヤホーンをブルトゥーズの無線式イヤホーンとして作動させるための無線受発信電気回路と、それに電源電力を供給する電池とを収容している。特許文献４は、カード状ＦＭ受信機本体に装着されるクリップ部に、アンテナとして兼用されるイヤホーンコードを介して調整部とイヤホーン部とが連結され、カード状ＦＭ受信機本体に電源電力を供給する電池をクリップ部に搭載している。
【先行技術文献】
【特許文献】
【０００４】
【特許文献１】特許第３８１５８８８号公報
【特許文献２】特開平１１−２５２２２１号公報
【特許文献３】実用新案登録第３１２５９２４号公報
【特許文献４】実開平１−１７２７３１号公報
【考案の概要】
【考案が解決しようとする課題】
【０００５】
この種のイヤホーンマイク装置にて、イヤホーンにて聴取される音声信号のボリューム遠隔調整をするものが知られている。このボリューム調整は、特許文献４の調整部に設けられているような回転式のメカニカルスイッチであった。
【０００６】
この回転式メカニカルスイッチは、回転操作部を外部に露出させる必要上からイヤホーンマイク装置の小型化の障害となる上、イヤホーンマイク装置の不使用時等にメカニカルスイッチが他の物体と接触することで、意図に反して回転されてしまう虞がある。それにより、使用者の意図に反したボリューム設定となり、イヤホーンマイク装置の装着直後に大音量の音声信号の聴取を余儀なくされる等の弊害があった。また、可動接触方式の可変抵抗器は故障も多かった。
【０００７】
そこで、本考案の目的は、小型化を図ると共にボリューム調整量が意図に反して変更されることがなく、しかも故障が少ないイヤホーンマイク装置を提供することにある。
【課題を解決するための手段】
【０００８】
本考案の一態様に係るイヤホーンマイク装置は、
電子機器に接続される音声入力端子及び音声出力端子が設けられたコネクター部と、
前記コネクター部に一端が接続されたコードと、
前記コードの他端が接続されて、前記コードを介して前記音声入力端子に接続されるイヤホーンと、
前記コードの途中に設けられた操作本体部と、
電池と、
を有し、
前記操作部本体部は、
前記コードを介して前記音声出力端子と接続されるマイクと、
アップスイッチ及びダウンスイッチと、
前記電池からの電源電力の供給を受けて、前記アップスイッチまたは前記ダウンスイッチの操作よって生成される信号に基づいて、前記イヤホーンに伝送される音声信号の減衰量を可変するアンプレスの電子ボリューム回路と、
を含むことを特徴とする。
【０００９】
このイヤホーンマイク装置は、携帯電話機、録音再生機等の電子機器に接続されて使用される。電子機器からの音声信号は、コネクター部を介して入力され、電子ボリューム回路を介してイヤホーンに伝送される。電子ボリューム回路は電池によって動作可能とされ、アップスイッチまたはダウンスイッチの操作入力に基づいて音声信号の減衰量が可変される。電子ボリューム回路はＩＣ化が可能であるので、操作本体部の軽量化を維持できる。また、この電子ボリューム回路はアンプなしであるので、ＩＣ化と加味すれば消費電力は極めて小さく、３〜５年程度の電池の寿命を商品寿命とすることができ、電池交換は必ずしも要さない。電子機器本体側から電源供給を受けることも考えられるが、電子機器がそのような仕様になっているものに用途が限定されるので、イヤホーンマイク装置側に電池を内蔵させるものとした。
【００１０】
アップスイッチ及びダウンスイッチは接触／非接触の二状態に切り換えられれば良いので、回転式メカニカルスイッチによって抵抗値を可変させるものと比較すれば、操作本体部を大幅に小型化でき、それによっても軽量化が図られ、故障も格段に少ない。また、回転式メカニカルスイッチは操作性確保のため操作本体部から突出し、不用意に回転位置が変化するが、アップスイッチ及びダウンスイッチは不用意に押下されることは少ない。
【００１１】
特に、前記アップスイッチ及びダウンスイッチの操作面が、前記操作本体部の表面と面一または前記表面よりも前記操作本体部の内方に窪んだ位置に設定されていることが好ましい。こうすると、アップスイッチ及びダウンスイッチが不用意に押下されることを確実に防止できる。
【００１２】
本考案の一態様では、前記電池は前記コネクター部に搭載することができる。この場合、前記コードは、前記電子ボリューム回路を介して前記音声入力端子からの音声信号を前記イヤホーンに伝送するイヤホーンコードと、前記マイクからの音声信号を前記音声出力端子に伝送するマイクコードと、前記電池からの電源電力を前記電子ボリューム回路に供給する電源コードと、前記イヤホーンへの音声信号、前記マイクからの音声信号及び前記電源電力に共用されるグランド電源コードとを含んで構成される。
【００１３】
本考案の一態様では、前記電子ボリューム回路は、前記音声信号を減衰してボリューム調整するボリューム調整部と、前記アップスイッチまたは前記ダウンスイッチの操作よって生成される信号に基づいて、前記ボリューム調整部での調整量を制御するボリューム制御部と、を含むことができる。つまり、本考案の一態様は、アップスイッチまたはダウンスイッチの操作によって抵抗値を可変するメカニカルスイッチとは異なり、ボリューム調整部とボリューム制御部とが分離され、電気的に駆動されている。
【００１４】
本考案の一態様では、前記イヤホーンは、Ｌ用イヤホーン及びＲ用イヤホーンを含み、前記ボリューム調整部は、前記Ｌ用イヤホーンに伝送される音声信号を減衰するＬ用ボリューム制御部と、前記Ｒ用イヤホーンに伝送される音声信号を減衰するＲ用ボリューム制御部と、を含み、前記ボリューム制御部は、前記Ｌ用ボリューム制御部と前記Ｒ用ボリューム制御部との制御に共用することができる。これにより、ステレオ対応であってもボリューム調整部を増設するだけで良い。
【００１５】
本考案の一態様では、前記ボリューム調整部は、前記音声入力端子からの音声信号を伝送する配線に接続された、複数のタップ付の固定抵抗器を含み、前記ボリューム制御部は、前記アップスイッチまたは前記ダウンスイッチの操作に基づいて、前記複数のタップの中から少なくとも一つのタップを選択して、前記固定抵抗器の全部又は一部により減衰された音声信号を出力させるタップ選択回路を含むことができる。ボリューム調整は固定抵抗器の全部又は一部によって実施され、ボリューム制御はタップ選択によって実施されることを明確にした。
【００１６】
本考案の一態様では、前記タップ選択回路は、前記アップスイッチまたは前記ダウンスイッチの操作に基づいてアップ／ダウン識別信号を生成する識別信号生成回路と、前記アップスイッチまたは前記ダウンスイッチのいずれか一方が操作されている時にイネーブル信号を出力するイネーブル信号生成回路と、前記アップ／ダウン識別信号に基づいてカウントアップまたはカウントダウンの方向が決定され、前記イネーブル信号がアクティブの間にクロックをカウントするアップ／ダウンカウンターと、を有することができる。これにより、アップ／ダウンカウンターの出力がアップスイッチまたはダウンスイッチの操作を反映するので、ボリューム調整を的確に実施でき、しかもカウンターはＩＣ化に適している。
【００１７】
本考案の一態様では、前記識別信号生成回路は、前記アップスイッチの操作によって短絡されることで、非操作時とは論理の異なるデジタル信号が生成されるアップ信号線と、前記ダウンスイッチの操作によって短絡されることで、非操作時とは論理の異なるデジタル信号が生成されるダウン信号線と、前記アップ信号線及び前記ダウン信号線の信号論理に基づいて、前記アップ／ダウン識別信号を生成する第１のロジック回路と、含むことができる。このようにして、アップスイッチ及びダウンスイッチは短絡／非短絡の二状態を設定できる簡易の構成とすることができ、短絡／非短絡で信号論理が変化することを利用して、アップ／ダウン識別信号を生成することができる。なお、アップ信号線及びダウン信号線はプルアップまたはプルダウンしておくことで、短絡時と非短絡時の論理を確実に設定することができる。
【００１８】
本考案の一態様では、前記タップ選択回路は、前記アップスイッチの操作によって短絡されることで、非操作時とは論理の異なるデジタル信号が生成されるアップ信号線と、
前記ダウンスイッチの操作によって短絡されることで、非操作時とは論理の異なるデジタル信号を生成されるダウン信号線と、をさらに有し、前記アップ信号線及び前記ダウン信号線が前記識別信号生成回路及び前記イネーブル信号生成回路に接続することができる。こうして、アップ信号及びダウン信号を生成して、識別信号生成回路及びイネーブル信号生成回路を作動させることができる。
【００１９】
本考案の一態様では、前記識別信号生成回路はセット・リセット型フリップフロップであり、前記イネーブル信号生成回路は論理和回路とすることができる。このように、識別信号生成回路及びイネーブル信号生成回路をロジック回路で構成でき、消費電力を低減できる。
【００２０】
本考案の一態様では、前記音声入力端子からの音声信号を伝送する配線には、前記固定抵抗器の上流側にてＤＣ成分をカットする容量を接続することができる。ＤＣ成分は消費電力を増加させるだけで、音色には無関係であるので、これを容量でカットすることで消費電力を低減できる。
【００２１】
本考案の一態様では、前記操作本体部は、動作モードを設定する動作モード設定スイッチをさらに有し、前記コネクター部は、動作モード設定信号出力端子をさらに有し、前記コードは、前記動作モード設定スイッチからの動作モード設定信号を前記動作モード設定信号出力端子に伝送する動作モード設定コードをさらに含むことができる。この動作モード設定スイッチにより、イヤホーンマイク側にて遠隔操作して、電子機器側の動作モードを設定することができる。電子機器が携帯電話機であれば、動作モード設定スイッチは、通話の開始／終了を設定するスタート／ストップスイッチとして機能させることができる。
【００２２】
この場合、前記動作モード設定信号は、前記動作モード設定スイッチの操作によって前記動作モード設定コードが短絡されることで生成される、非操作時とは論理が異なるデジタル信号とすることができる。
【図面の簡単な説明】
【００２３】
【図１】本考案の一実施形態に係るイヤホーンマイク装置の外観図である。
【図２】図１に示すイヤホーンマイク装置のコネクター部及び操作本体部の詳細を示す図である。
【図３】図２に示す操作本体部の電子ボリューム回路の一例を示す図である。
【考案を実施するための形態】
【００２４】
以下、本考案の好適な実施の形態について詳細に説明する。なお以下に説明する本実施形態は特許請求の範囲に記載された本考案の内容を不当に限定するものではなく、本実施形態で説明される構成の全てが本考案の解決手段として必須であるとは限らない。
【００２５】
１．外観構成
図１は、本考案の一実施形態に係るイヤホーンマイク装置の外観図である。イヤホーンマイク装置１０は、電子機器である携帯電話機１に接続されるコネクター部２０と、コネクター部２０に一端が接続されたコード３０と、コード３０の他端が接続されるイヤホーン４０と、コード３０の途中に設けられた操作本体部５０と、電池６０とを有する。
【００２６】
本実施形態では、イヤホーン４０はステレオ対応とされ、Ｌ用イヤホーン４１とＲ用イヤホーン４２とを含んでいる。このため、コード３０はイヤホーン４０と操作本体部５０との間の部分３０Ｂでは二股に分岐されている。
【００２７】
操作部本体５０は、マイク５１と、アップスイッチ５２及びダウンスイッチ５３と、動作モード設定スイッチ５４とを有している。なお、マイク５１は各種スイッチ５２〜５４が設けられた面とは異なる面に音声取り入れ孔を有している。動作モード設定スイッチ５４は、本実施形態では通話の開始／終了のモードを設定するスタート／ストップスイッチとすることができる。
【００２８】
ここで、図１中でマイク５１が配置された面を示す図に示す通り、アップスイッチ５２、ダウンスイッチ５３及びスタート／ストップスイッチ５４の各操作面は、操作本体部５０の表面より突出していない。つまり、アップスイッチ５２、ダウンスイッチ５３及びスタート／ストップスイッチ５４の各操作面は、操作本体部５０の表面と面一またはその表面よりも操作本体部５０の内方に窪んだ位置に設定されている。アップスイッチ５２、ダウンスイッチ５３及びスタート／ストップスイッチ５４が不用意に押下されることを確実に防止できる。
【００２９】
コネクター部２０は、携帯電話機１の雌コネクター（図示せず）に接続される雄コネクター２１を有する。この雄コネクター２１は、少なくとも、コード３０（３０Ａ及び３０Ｂ）を介してイヤホーン４０に接続された音声入力端子と、コード３０（３０Ａ）を介してマイク５１と接続された音声出力端子とを含んでいる。この雄コネクター２１の詳細については後述する。
【００３０】
２．コネクター部２０及び操作本体部５０
図２は、コネクター部２０と操作本体部５０の詳細を示している。コネクター部２０に設けられた雄コネクター２１は、携帯電話機１の雌コネクターと共に企画化されている。本実施形態では、１０ピンのＵＳＢコネクターを使用している。雄コネクター２１の１０品のうち、本実施形態では少なくもＬ用イヤホーン４１の音声入力端子、Ｒ用イヤホーン４２の音声入力端子、マイク５１の出力端子、スタート／ストップスイッチ５４の出力端子及びグランド端子を使用している。
【００３１】
コネクター部２０には、雄コネクター２１の他に電池６０が搭載されている。コネクター部２０に電池６０を搭載することで、コネクター部２０の重量はイヤホーン４０及び操作本体部５０よりも重くなる。しかし、コネクター部２０は携帯電話機１に接続されて使用されるので、コネクター部２０を含む携帯電話機１側の重量の増加比率は微小であり、重量増加を使用者に感じさせることはない。むしろ、イヤホーンマイク装置１０側に電池６０を設けながらも、イヤホーン４０及び操作本体部５０の軽量化を維持できる。
【００３２】
この電池６０は、例えば二酸化マンガンリチウム電池を使用するが、これに限定されない。後述する通り、本実施形態のイヤホーンマイク装置１０での消費電力は極めて小さいため、３〜５年の商品寿命の間に電池交換は不要である。このため、コネクター部２０は、雄コネクター２１を搭載するプリント配線基板上に電池６０も搭載し、この基板を樹脂封止することで形成しても良い。
【００３３】
操作本体部５０は、マイク５１及び各種スイッチ５２〜５４の他に、プリント配線基板７０上に搭載された電子ボリューム回路であるＩＣ８０、第１コネクター８１及び第２コネクター８２を有する。このＩＣ８０はグランド端子に接続されると共に、コネクター部２０に配置された電池６０からの電源電力がコード３０Ｂ及び第１コネクター８１を介して供給される。
【００３４】
ＩＣ８０は、電池６０からの電源電力の供給を受けて、アップスイッチ５２またはダウンスイッチ５３の操作よって生成される信号に基づいて、コード３０Ａを介して伝送される音声信号の減衰量を可変するアンプレスの電子ボリューム回路である。
【００３５】
ＩＣ８０には、携帯電話機１からのＬ，Ｒ用音声信号が、容量８３，８４を介して入力される。また、ＩＣ８０にはアップスイッチ５２とダウンスイッチ５３からの信号が入力される。ＩＣ８０からは、ボリューム調整後のＬ，Ｒ用音声信号が出力される。
【００３６】
マイク５１からの音声信号と、スタート／ストップスイッチ５４からの信号、第２コネクター８２から入力され、プリント配線基板７０上のパターンを介して第１コネクター８１に伝送される。
【００３７】
操作本体部５０にはさらに、アップスイッチ５２の操作によって短絡されるアップ信号線５５と、ダウンスイッチ５３の操作によって短絡されるダウン信号線５６と、スタート／ストップスイッチ５４の操作によって短絡される動作モード設定信号線５７とを含んでいる。これらの各信号線５５〜５７は、対応するスイッチ５２〜５４が操作されることで例えば接地電位となり、非操作時とは異なる論理のデジタル信号が生成される。
【００３８】
ここで、本実施形態では、コード３０のうちコネクター部２０と接続されたコード３０Ａは、Ｌ，Ｒ用のイヤホーンコード、電池６０に接続された電源コード、操作本体部５０のマイク５１と接続されたマイクコード、Ｌ，Ｒのイヤホーン用音声信号、マイク５１からの音声信号及び電源電力に共用される共通グランド電源コードの計５本のコードを含んでいる。コード３０Ａは、ステレオ対応でなければ計４本のコードとすることができる。一方、イヤホーン４０に接続されたコード３０Ｂは、Ｌ，Ｒ用のイヤホーンコードと共通グランド電源コードの計３本のコードを含んでいる。コード３０Ｂは、ステレオ対応でなければ計２本のコードとすることができる。
【００３９】
３．電子ボリューム回路
図３は、電子ボリューム回路であるＩＣ８０の一例を示す図である。ＩＣ８０は、音声信号を減衰してボリューム調整するボリューム調整部１００と、アップスイッチ５２またはダウンスイッチ５３の操作よって生成される信号に基づいて、ボリューム調整部１００での調整量を制御するボリューム制御部１４０とを含んでいる。
【００４０】
本実施形態では、イヤホーン４０がＬ用イヤホーン４１及びＲ用イヤホーン４２を含んでいるため、ボリューム調整部１００は、Ｌ用イヤホーン４１に伝送される音声信号を減衰するＬ用ボリューム制御部１００Ａと、Ｒ用イヤホーン４２に伝送される音声信号を減衰するＲ用ボリューム制御部１００Ｂとを含んでいる。この場合でも、ボリューム制御部１４０は、Ｌ用ボリューム制御部１００ＡとＲ用ボリューム制御部１００Ｂとの制御に共用される。
【００４１】
ボリューム調整部１００Ａ，１００Ｂは、Ｌ，Ｒの各音声入力端子からの音声信号をそれぞれ伝送する配線に接続された、複数のタップ付の固定抵抗器１０１Ａ，１００Ｂを有する。この場合、ボリューム制御部１４０は、アップスイッチ５２またはダウンスイッチ５３の操作に基づいて、複数のタップの中から少なくとも一つのタップを選択して、固定抵抗器１０１Ａ，１０１Ｂの全部又は一部により減衰された音声信号を出力させるタップ選択回路として機能する。
【００４２】
タップ選択回路（ボリューム制御部）１４０は、アップ／ダウンカウンター１１０と、アップ／ダウンカウンター１１０を制御するカウンター制御回路１２０とを含んで構成される。また、カウンター制御回路１２０は、アップスイッチ５２またはダウンスイッチ５３の操作に基づいてアップ／ダウン識別信号を生成する識別信号生成回路１２３と、アップスイッチ５２またはダウンスイッチ５３のいずれか一方が操作されている時にイネーブル信号を出力するイネーブル信号生成回路１２４とを有することができる。アップ／ダウンカウンター１１０は、アップ／ダウン識別信号に基づいてカウントアップまたはカウントダウンの方向が決定され、イネーブル信号ＥＮがアクティブの間にクロックＣＬＫをカウントする。
【００４３】
図３の実施形態では、カウンター制御回路１２０は、アップ信号線５５及びダウン信号線５６を含み、アップ信号線５５及びダウン信号線５６にはプルアップ抵抗１２１，１２２が接続されている。従って、アップスイッチ５２及びダウンスイッチ５３の非操作時には、アップ信号線５５及びダウン信号線５６の信号論理はＨＩＧＨとなっている。アップスイッチ５２が操作されるとアップ信号線５５が短絡されることで、非操作時とは論理の異なるデジタル信号（例えばＬＯＷ）が生成される。ダウンスイッチ５３が操作されるとダウン信号線５６が短絡されることで、非操作時とは論理の異なるデジタル信号（例えばＬＯＷ）が生成される。このアップ信号線５５及びダウン信号線５６が接続される識別信号生成回路１２３は例えばＳＲ（セット・リセット）型フリップフロップで構成でき、イネーブル信号生成回路１２４は例えば論理和回路（オア回路）にて構成できる。
【００４４】
ＳＲ型フリップフロップ１２３は、アップ信号線５５がセット端子（本実施形態では反転セット端子）Ｓに、ダウン信号線５６がリセット端子（本実施形態では反転リセット端子）Ｒに接続され、出力端子Ｑよりアップ／ダウン識別信号が出力される。例えば、アップスイッチ５２が操作されると、アップ信号線５５はＬＯＷ、ダウン信号線５６はＨＩＧＨとなり、ＳＲ型フリップフロップ１２３がセットされて出力端子ＱよりＨＩＧＨが出力される。一方、ダウンスイッチ５３が操作されると、アップ信号線５５はＨＩＧＨ、ダウン信号線５６はＬＯＷとなり、ＳＲ型フリップフロップ１２３がリセットされて出力端子ＱよりＬＯＷが出力される。このように、ＳＲ型フリップフロップ１２３からのＱ出力が、ＨＩＧＨであればアップ操作と判別でき、ＬＯＷであればダウン操作と判別できる。
【００４５】
アップ／ダウンカウンター１１０は、ＳＲ型フリップフロップ１２３からのＱ出力によって、カウントアップするかカウントダウンするかを決定することができる。
【００４６】
オア回路１２４は、アップ信号線５５とダウン信号線５６の信号論理に基づいて、アップスイッチ５２及びダウンスイッチ５３のいずれか一方が操作されときにイネーブル信号がアクティブ（例えばＨＩＧＨ）となる。
【００４７】
こうして、アップ／ダウンカウンター１１０は、イネーブル信号がアクティブである間に、アップ／ダウン識別信号に基づいてアップ方向またはダウン方向を決定し、クロック信号をカウントすることによって、カウントアップまたはカウントダウンを実施することができる。また、アップスイッチ５２及びダウンスイッチ５３のいずれか一方を操作し続けてもアップ／ダウンカウンター１１０が連続的にカウントアップまたはカウントダウンされる。
【００４８】
アップ／ダウンカウンター１１０の出力によって、固定抵抗器１０１Ａ，１０１Ｂの少なくとも一つのタップが選択され、Ｌ，Ｒ用音声信号がそれぞれ減衰される。タップ数がＮであれば、Ｎ≦２ｎを満たすｎ進のアップ／ダウンカウンター１１０を用意すれば良い。ただし、このアップ／ダウンカウンター１１０は、上限または加減の値に到達した後に、同一方向の操作入力があってもリセットされることはなく上限または下限値を維持し（カウント動作せず）、逆方向の操作があったときのみボリューム値が変更される。タップ選択回路１４０は、アップ／ダウンカウンター１１０を最終段としてもよいが、カウンター出力をデコードしてタップ選択するタップ切り換え回路を設けても良い。
【００４９】
なお、上記のように本実施形態について詳細に説明したが、本考案の新規事項および効果から実体的に逸脱しない多くの変形が可能であることは当業者には容易に理解できるものである。従って、このような変形例はすべて本考案の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【００５０】
例えば電子ボリューム回路は、操作本体部５０に設けた電源スイッチによりオン／オフ制御しても良い。この際、ボリューム調整値を記憶する不揮発性メモリ（またはレジスタ）を設けておき、電源オン時に記憶情報を読み取ってボリューム調整部またはボリューム制御部に設定しても良い。こうすると、電源オフ前のボリューム調整値を電源オン時に再現することができる。
【符号の説明】
【００５１】
１  電子機器（携帯電話機等）、１０  イヤホーンマイク装置、２０  コネクター部、２１  雄コネクター、３０，３０Ａ，３０Ｂ  コード、４０  イヤホーン、４１  Ｌ用イヤホーン、４２  Ｒ用イヤホーン、５０  操作本体部、５１  マイク、５２  アップスイッチ、５３  ダウンスイッチ、５４  動作モード設定スイッチ（スタート／ストップスイッチ）、５５  アップ信号線、５６  ダウン信号線、５７  動作モード設定信号線、６０  電池、７０  プリント配線基板、８０  電子ボリューム回路（ＩＣ）、８１  第１コネクター、８２  第２コネクター、８３，８４  容量、１００  ボリューム調整部、１００Ａ  Ｌ用ボリューム調整部、１００Ｂ  Ｒ用ボリューム調整部、１０１Ａ，１０１Ｂ  タップ付固定抵抗器、１１０  タップ選択回路（アップ／ダウンカウンター）、１２０  カウンター制御回路、１２１，１２２  プルアップ抵抗器、１２３  識別信号生成回路（セット・リセット型フリップフロップ）、１２４  論理和回路（オア回路）、１４０  ボリューム制御部
【図１】
0003157767.tif 000003
【図２】
0003157767.tif 000004
【図３】
0003157767.tif 000005
【手続補正書】
【提出日】平成21年11月17日(2009.11.17)
【手続補正１】
【補正対象書類名】実用新案登録請求の範囲
【補正対象項目名】全文
【補正方法】変更
【補正の内容】
【実用新案登録請求の範囲】
【請求項１】
電子機器に接続される音声入力端子及び音声出力端子が設けられたコネクター部と、
前記コネクター部に一端が接続されたコードと、
前記コードの他端が接続されて、前記コードを介して前記音声入力端子に接続されるイヤホーンと、
前記コードの途中に設けられた操作本体部と、
電池と、
を有し、
前記操作本体部は、
前記コードを介して前記音声出力端子と接続されるマイクと、
アップスイッチ及びダウンスイッチと、
前記電池からの電源電力の供給を受けて、前記アップスイッチまたは前記ダウンスイッチの操作よって生成される信号に基づいて、前記イヤホーンに伝送される音声信号の減衰量を可変するアンプレスの電子ボリューム回路と、
を含むことを特徴とするイヤホーンマイク装置。
【請求項２】
請求項１において、
前記アップスイッチ及びダウンスイッチの操作面は、前記操作本体部の表面と面一または前記表面よりも前記操作本体部の内方に窪んだ位置に設定されていることを特徴とするイヤホーンマイク装置。
【請求項３】
請求項１または２において、
前記電池は前記コネクター部に搭載され、
前記コードは、
前記電子ボリューム回路を介して前記音声入力端子からの音声信号を前記イヤホーンに伝送するイヤホーンコードと、
前記マイクからの音声信号を前記音声出力端子に伝送するマイクコードと、
前記電池からの電源電力を前記電子ボリューム回路に供給する電源コードと、
前記イヤホーンへの音声信号、前記マイクからの音声信号及び前記電源電力に共用される共通グランド電源コードと、
を含むことを特徴とするイヤホーンマイク装置。
【請求項４】
請求項１乃至３のいずれかにおいて、
前記電子ボリューム回路は、
前記音声信号を減衰してボリューム調整するボリューム調整部と、
前記アップスイッチまたは前記ダウンスイッチの操作よって生成される信号に基づいて、前記ボリューム調整部での調整量を制御するボリューム制御部と、
を含むことを特徴とするイヤホーンマイク装置。
【請求項５】
請求項４において、
前記イヤホーンは、Ｌ用イヤホーン及びＲ用イヤホーンを含み、
前記ボリューム調整部は、前記Ｌ用イヤホーンに伝送される音声信号を減衰するＬ用ボリューム制御部と、前記Ｒ用イヤホーンに伝送される音声信号を減衰するＲ用ボリューム制御部と、を含み、
前記ボリューム制御部は、前記Ｌ用ボリューム制御部と前記Ｒ用ボリューム制御部との制御に共用されることを特徴とするイヤホーンマイク装置。
【請求項６】
請求項４または５において、
前記ボリューム調整部は、前記音声入力端子からの音声信号を伝送する配線に接続された、複数のタップ付の固定抵抗器を含み、
前記ボリューム制御部は、前記アップスイッチまたは前記ダウンスイッチの操作に基づいて、前記複数のタップの中から少なくとも一つのタップを選択して、前記固定抵抗器の全部又は一部により減衰された音声信号を出力させるタップ選択回路を含むことを特徴とするイヤホーンマイク装置。
【請求項７】
請求項６において、
前記タップ選択回路は、
前記アップスイッチまたは前記ダウンスイッチの操作に基づいてアップ／ダウン識別信号を生成する識別信号生成回路と、
前記アップスイッチまたは前記ダウンスイッチのいずれか一方が操作されている時にイネーブル信号を出力するイネーブル信号生成回路と、
前記アップ／ダウン識別信号に基づいてカウントアップまたはカウントダウンの方向が決定され、前記イネーブル信号がアクティブの間にクロックをカウントするアップ／ダウンカウンターと、
をさらに有することを特徴とするイヤホーンマイク装置。
【請求項８】
請求項７において、
前記タップ選択回路は、
前記アップスイッチの操作によって短絡されることで、非操作時とは論理の異なるデジタル信号が生成されるアップ信号線と、
前記ダウンスイッチの操作によって短絡されることで、非操作時とは論理の異なるデジタル信号が生成されるダウン信号線と、
をさらに有し、
前記アップ信号線及び前記ダウン信号線が前記識別信号生成回路及び前記イネーブル信号生成回路に接続されていることを特徴とするイヤホーンマイク装置。
【請求項９】
請求項８において、
前記識別信号生成回路はセット・リセット型フリップフロップであり、前記イネーブル信号生成回路は論理和回路であることを特徴とするイヤホーンマイク装置。
【請求項１０】
請求項４乃至９のいずれかにおいて、
前記音声入力端子からの音声信号を伝送する配線には、前記固定抵抗器の上流側にてＤＣ成分をカットする容量が接続されていることを特徴とするイヤホーンマイク装置。
【請求項１１】
請求項１乃至１０のいずれかにおいて、
前記操作本体部は、動作モードを設定する動作モード設定スイッチをさらに有し、
前記コネクター部は、動作モード設定信号出力端子をさらに有し、
前記コードは、前記動作モード設定スイッチからの動作モード設定信号を前記動作モード設定信号出力端子に伝送する動作モード設定コードをさらに含むことを特徴とするイヤホーンマイク装置。
【請求項１２】
請求項１１において、
前記動作モード設定信号は、前記動作モード設定スイッチの操作によって前記動作モード設定コードが短絡されることで生成される、非操作時とは論理が異なるデジタル信号であることを特徴とするイヤホーンマイク装置。
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
電子機器に接続される音声入力端子及び音声出力端子が設けられたコネクター部と、
前記コネクター部に一端が接続されたコードと、
前記コードの他端が接続されて、前記コードを介して前記音声入力端子に接続されるイヤホーンと、
前記コードの途中に設けられた操作本体部と、
電池と、
を有し、
前記操作本体部は、
前記コードを介して前記音声出力端子と接続されるマイクと、
アップスイッチ及びダウンスイッチと、
前記電池からの電源電力の供給を受けて、前記アップスイッチまたは前記ダウンスイッチの操作よって生成される信号に基づいて、前記イヤホーンに伝送される音声信号の減衰量を可変するアンプレスの電子ボリューム回路と、
を含むことを特徴とするイヤホーンマイク装置。
【請求項２】
請求項１において、
前記アップスイッチ及びダウンスイッチの操作面は、前記操作本体部の表面と面一または前記表面よりも前記操作本体部の内方に窪んだ位置に設定されていることを特徴とするイヤホーンマイク装置。
【請求項３】
請求項１または２において、
前記電池は前記コネクター部に搭載され、
前記コードは、
前記電子ボリューム回路を介して前記音声入力端子からの音声信号を前記イヤホーンに伝送するイヤホーンコードと、
前記マイクからの音声信号を前記音声出力端子に伝送するマイクコードと、
前記電池からの電源電力を前記電子ボリューム回路に供給する電源コードと、
前記イヤホーンへの音声信号、前記マイクからの音声信号及び前記電源電力に共用される共通グランド電源コードと、
を含むことを特徴とするイヤホーンマイク装置。
【請求項４】
請求項１乃至３のいずれかにおいて、
前記電子ボリューム回路は、
前記音声信号を減衰してボリューム調整するボリューム調整部と、
前記アップスイッチまたは前記ダウンスイッチの操作よって生成される信号に基づいて、前記ボリューム調整部での調整量を制御するボリューム制御部と、
を含むことを特徴とするイヤホーンマイク装置。
【請求項５】
請求項４において、
前記イヤホーンは、Ｌ用イヤホーン及びＲ用イヤホーンを含み、
前記ボリューム調整部は、前記Ｌ用イヤホーンに伝送される音声信号を減衰するＬ用ボリューム制御部と、前記Ｒ用イヤホーンに伝送される音声信号を減衰するＲ用ボリューム制御部と、を含み、
前記ボリューム制御部は、前記Ｌ用ボリューム制御部と前記Ｒ用ボリューム制御部との制御に共用されることを特徴とするイヤホーンマイク装置。
【請求項６】
請求項４または５において、
前記ボリューム調整部は、前記音声入力端子からの音声信号を伝送する配線に接続された、複数のタップ付の固定抵抗器を含み、
前記ボリューム制御部は、前記アップスイッチまたは前記ダウンスイッチの操作に基づいて、前記複数のタップの中から少なくとも一つのタップを選択して、前記固定抵抗器の全部又は一部により減衰された音声信号を出力させるタップ選択回路を含むことを特徴とするイヤホーンマイク装置。
【請求項７】
請求項６において、
前記タップ選択回路は、
前記アップスイッチまたは前記ダウンスイッチの操作に基づいてアップ／ダウン識別信号を生成する識別信号生成回路と、
前記アップスイッチまたは前記ダウンスイッチのいずれか一方が操作されている時にイネーブル信号を出力するイネーブル信号生成回路と、
前記アップ／ダウン識別信号に基づいてカウントアップまたはカウントダウンの方向が決定され、前記イネーブル信号がアクティブの間にクロックをカウントするアップ／ダウンカウンターと、
をさらに有することを特徴とするイヤホーンマイク装置。
【請求項８】
請求項７において、
前記タップ選択回路は、
前記アップスイッチの操作によって短絡されることで、非操作時とは論理の異なるデジタル信号が生成されるアップ信号線と、
前記ダウンスイッチの操作によって短絡されることで、非操作時とは論理の異なるデジタル信号が生成されるダウン信号線と、
をさらに有し、
前記アップ信号線及び前記ダウン信号線が前記識別信号生成回路及び前記イネーブル信号生成回路に接続されていることを特徴とするイヤホーンマイク装置。
【請求項９】
請求項８において、
前記識別信号生成回路はセット・リセット型フリップフロップであり、前記イネーブル信号生成回路は論理和回路であることを特徴とするイヤホーンマイク装置。
【請求項１０】
請求項６乃至９のいずれかにおいて、
前記音声入力端子からの音声信号を伝送する配線には、前記固定抵抗器の上流側にてＤＣ成分をカットする容量が接続されていることを特徴とするイヤホーンマイク装置。
【請求項１１】
請求項１乃至１０のいずれかにおいて、
前記操作本体部は、動作モードを設定する動作モード設定スイッチをさらに有し、
前記コネクター部は、動作モード設定信号出力端子をさらに有し、
前記コードは、前記動作モード設定スイッチからの動作モード設定信号を前記動作モード設定信号出力端子に伝送する動作モード設定コードをさらに含むことを特徴とするイヤホーンマイク装置。
【請求項１２】
請求項１１において、
前記動作モード設定信号は、前記動作モード設定スイッチの操作によって前記動作モード設定コードが短絡されることで生成される、非操作時とは論理が異なるデジタル信号であることを特徴とするイヤホーンマイク装置。